(57)【特許請求の範囲】
【請求項１】
第１の姿勢と第２の姿勢とに姿勢の変更が自在な、画像を表示する画面と、
前記画面が前記第１の姿勢にある場合に該画面を照明する少なくとも一つの、筒型を有し該第１の姿勢において該筒型の長手方向が水平に配置される第１の照明光源と、
前記画面が前記第２の姿勢にある場合に該画面を照明する少なくとも一つの、筒型を有し該第２の姿勢において該筒型の長手方向が水平に配置される第２の照明光源と、
前記第１の照明光源と前記第２の照明光源を、姿勢に応じて、筒型の長手方向が水平になった場合に点灯するように制御する点灯制御部とを備えたことを特徴とする表示ユニット。
【請求項２】
前記画面は長方形であり、
前記第１の姿勢は当該長方形の長辺が垂直状態、前記第２の姿勢は当該長方形の長辺が水平状態であることを特徴とする請求項１記載の表示ユニット。
【請求項３】
前記第１の照明光源と前記第２の照明光源のそれぞれの照明光を導いて前記画面を照明する導光板をさらに備えたことを特徴とする請求項１又は２記載の表示ユニット。
【請求項４】
前記導光板は、凸型プリズムが市松模様状に配置されて形成されていることを特徴とする請求項３記載の表示ユニット。
【請求項５】
第１の姿勢と第２の姿勢とに姿勢の変更が自在な、画像を表示する画面と、
前記画面が前記第１の姿勢にある場合に該画面を照明する少なくとも一つの、筒型を有し該第１の姿勢において該筒型の長手方向が水平に配置される第１の照明光源と、
前記画面が前記第２の姿勢にある場合に該画面を照明する少なくとも一つの、筒型を有し該第２の姿勢において該筒型の長手方向が水平に配置される第２の照明光源と、
前記第１の照明光源と前記第２の照明光源を、姿勢に応じて、筒型の長手方向が水平になった場合に点灯するように制御する点灯制御部とを備えた表示ユニットを内蔵したことを特徴とする表示装置。
【請求項６】
前記画面は長方形であり、
前記第１の姿勢は当該長方形の長辺が垂直状態、前記第２の姿勢は当該長方形の長辺が水平状態であることを特徴とする請求項５記載の表示装置。
【請求項７】
前記表示ユニットが、前記第１の照明光源と前記第２の照明光源のそれぞれの照明光を導いて前記画面を照明する導光板をさらに備えたことを特徴とする請求項５又は６記載の表示装置。
【請求項８】
前記導光板は、凸型プリズムが市松模様状に配置されて形成されていることを特徴とする請求項７記載の表示装置。
【請求項９】
第１の姿勢と第２の姿勢とに姿勢の変更が自在な、画像を表示する画面と、
前記画面が前記第１の姿勢にある場合に該画面を照明する少なくとも一つの、筒型を有し該第１の姿勢において該筒型の長手方向が水平に配置される第１の照明光源と、
前記画面が前記第２の姿勢にある場合に該画面を照明する少なくとも一つの、筒型を有し該第２の姿勢において該筒型の長手方向が水平に配置される第２の照明光源と、
前記第１の照明光源と前記第２の照明光源を、姿勢に応じて、筒型の長手方向が水平になった場合に点灯するように制御する点灯制御部とを備えた表示ユニットを内蔵したことを特徴とする情報処理装置。
【請求項１０】
前記画面は長方形であり、
前記第１の姿勢は当該長方形の長辺が垂直状態、前記第２の姿勢は当該長方形の長辺が水平状態であることを特徴とする請求項９記載の情報処理装置。
【請求項１１】
前記表示ユニットが、前記第１の照明光源と前記第２の照明光源のそれぞれの照明光を導いて前記画面を照明する導光板をさらに備えたことを特徴とする請求項９又は１０記載の情報処理装置。
【請求項１２】
前記導光板は、凸型プリズムが市松模様状に配置されて形成されていることを特徴とする請求項１１記載の情報処理装置。
【発明の詳細な説明】
【技術分野】
【０００１】
本発明は、第１の姿勢と第２の姿勢とに姿勢の変更が自在な、画像を表示する画面を有する表示ユニット、該表示ユニットを内蔵した表示装置、および、該表示ユニットを内蔵した情報処理装置に関する。
【背景技術】
【０００２】
近年、画像を表示する画面が、横位置と縦位置とに姿勢の変更が自在の、いわゆるピボット機能と呼ばれる機能を有する表示ユニットが知られている。
【０００３】
ピボット機能を有する表示ユニットの中には、この画面が、バックライト照明を受けながら画像データに応じて駆動されることで画像を表示する、いわゆる液晶表示画面であるものが知られている（例えば、特許文献１参照）。
【０００４】
画像表示に液晶を用いる場合には、その液晶部分を裏面から照明することが好ましく、画面に液晶を用いている表示ユニットのなかには、この照明光を、この液晶表示画面が横位置にあるときの、この液晶表示画面の上面に沿って横に延びた姿勢を取る冷陰極蛍光管から取り入れるものが知られている。この様な表示ユニットでは、この液晶表示画面の裏面に配備した導光板を経由して、液晶表示画面の上面に沿って横に延びた姿勢を取る冷陰極蛍光管から照明光を取り入れている。
【０００５】
図１は、上述の液晶表示画面を有する表示ユニットを示す図である。
【０００６】
図１に示す表示ユニット１００は、上記液晶表示画面を内蔵する液晶パネル１００ａと、この液晶パネル１００ａを支持する支持体１００ｂとで構成されており、図１（ａ）には、液晶パネル１００ａが横長の横位置の姿勢をとっている場合、図１（ｂ）には、液晶パネル１００ａが縦長の縦位置の姿勢をとっている場合が示されている。
【０００７】
図２は、図１に示す液晶パネルの概略構成図である。
【０００８】
図２に示す液晶パネル１００ａは、液晶表示画面１０１ａ、冷陰極蛍光管１０２ａ、および、冷陰極蛍光管１０２ａを駆動する交流電圧を供給するインバータ回路１０３ａで構成されている。
【０００９】
図２（ａ）には、この液晶パネル１００ａが横位置（図２（ａ））にあるときの、液晶表示画面１００ａの上面に沿って横に延びた姿勢を取る冷陰極蛍光管１０２ａから照明光を取り入れている様子が示されている。
【００１０】
図２に示す液晶パネル１００ａでは、液晶表示画面１０１ａと冷陰極管１０２ａは一体で配備されており、このため、図２（ｂ）には、姿勢が横位置から縦位置に変更されたことで、冷陰極蛍光管１０２ａが、液晶表示画面１０１ａの側面に沿って上下に延びた姿勢を取っている様子が示されている。
【特許文献１】
特開２０００−１８２７９３号公報
【発明の開示】
【発明が解決しようとする課題】
【００１１】
ところで、図２に示す液晶パネル１００ａの冷陰極蛍光管１０２ａを、図２（ａ）に示す横位置にある状態での使用、即ち、蛍光管の各部位間の温度差がほとんどない状態で使用すれば、蛍光管の寿命を縮める要因となる、内部に封入されているガスの各部位間の濃度差を発生させずに済ますことができる。ところが、この冷陰極蛍光管１０２ａを、図２（ｂ）のように上下に延びた状態で使用すると、表示ユニット内部の熱の対流による蛍光管の上部側と下部側との間の温度差に起因する、上記ガスの偏在によって濃度差が発生し、管の寿命が短くなるという問題が発生する。
【００１２】
尚、上記問題は、照明光源が冷陰極蛍光管である場合に限り発生するものではなく、この照明光源が熱陰極蛍光管であっても、さらにはＬＥＤであっても、各部位間の温度差により寿命が短くなるおそれのある照明光源であれば同様に起こりうる問題である。
【００１３】
本発明は、上記事情に鑑み、ピボット機能を有しながら、照明光源の長寿命化が図られた表示ユニット、この表示ユニットを内蔵した表示装置、および、この表示ユニットを内蔵した情報処理装置を提供することを目的とする。
【課題を解決するための手段】
【００１４】
上記目的を達成するための本発明の表示ユニットは、
第１の姿勢と第２の姿勢とに姿勢の変更が自在な、画像を表示する画面と、
第１の姿勢の場合に、上記画面を照明する少なくとも一つの第１の照明光源と、
第２の姿勢の場合に、上記画面を照明する少なくとも一つの第２の照明光源と、
姿勢に応じて、第１の照明光源と第２の照明光源の点灯を制御する点灯制御部とを備えたことを特徴とする。
【００１５】
ここで、上記画面は長方形であり、
上記第１の姿勢はこの長方形の長辺が垂直状態、上記第２の姿勢はこの長方形の長辺が水平状態であることが好ましい。
【００１６】
また、上記第１の照明光源と上記第２の照明光源は筒型であり、上記点灯制御部は、上記第１の照明光源と上記第２の照明光源を筒型の長手方向が水平になった場合に点灯するように制御することも好ましい態様である。
【００１７】
ここで、第１の照明光源と第２の照明光源のそれぞれの照明光を導いて、画面を照明する導光板をさらに備えることが好ましい。
【００１８】
また、上記導光板は、凸型プリズムが市松模様状に配置されて形成されていることも好ましい態様である。
【００１９】
上記目的を達成するための本発明の表示装置は、
第１の姿勢と第２の姿勢とに姿勢の変更が自在な、画像を表示する画面と、
第１の姿勢の場合に、上記画面を照明する少なくとも一つの第１の照明光源と、
第２の姿勢の場合に、上記画面を照明する少なくとも一つの第２の照明光源と、
姿勢に応じて、第１の照明光源と第２の照明光源の点灯を制御する点灯制御部とを備えた表示ユニットを内蔵したことを特徴とする。
【００２０】
ここで、上記画面は長方形であり、
上記第１の姿勢はこの長方形の長辺が垂直状態、上記第２の姿勢はこの長方形の長辺が水平状態であることが好ましい。
【００２１】
また、上記第１の照明光源と上記第２の照明光源は筒型であり、上記点灯制御部は、上記第１の照明光源と上記第２の照明光源を筒型の長手方向が水平になった場合に点灯するように制御することも好ましい態様である。
【００２２】
ここで、上記表示ユニットが第１の照明光源と第２の照明光源のそれぞれの照明光を導いて、画面を照明する導光板をさらに備えることが好ましい。
【００２３】
また、上記導光板は、凸型プリズムが市松模様状に配置されて形成されていることも好ましい態様である。
【００２４】
上記目的を達成するための本発明の情報処理装置は、
第１の姿勢と第２の姿勢とに姿勢の変更が自在な、画像を表示する画面と、
第１の姿勢の場合に、上記画面を照明する少なくとも一つの第１の照明光源と、
第２の姿勢の場合に、上記画面を照明する少なくとも一つの第２の照明光源と、
姿勢に応じて、第１の照明光源と第２の照明光源の点灯を制御する点灯制御部とを備えた表示ユニットを内蔵したことを特徴とする。
【００２５】
ここで、上記画面は長方形であり、
上記第１の姿勢はこの長方形の長辺が垂直状態、上記第２の姿勢はこの長方形の長辺が水平状態であることが好ましい。
【００２６】
また、上記第１の照明光源と上記第２の照明光源は筒型であり、上記点灯制御部は、上記第１の照明光源と上記第２の照明光源を筒型の長手方向が水平になった場合に点灯するように制御することも好ましい態様である。
【００２７】
ここで、上記表示ユニットが第１の照明光源と第２の照明光源のそれぞれの照明光を導いて、画面を照明する導光板をさらに備えることが好ましい。
【００２８】
また、上記導光板は、凸型プリズムが市松模様状に配置されて形成されていることも好ましい態様である。
【００２９】
ところで、上記目的を達成するための本発明の表示ユニットは、
横位置と縦位置とに姿勢の変更が自在な、画像データに応じて駆動されバックライト照明を受けて画像を表示する表示画面と、
この表示画面と一体に姿勢が変更される、上記表示画面の裏面に配備され照明光を導いてこの表示画面を裏面から照明する導光体と、
上記表示画面が横位置にあるときのこの表示画面の上面若しくは下面に沿って横に延びこの表示画面が横位置にあるときに照明光を出射して上記導光体に入射させる、この表示画面と一体に姿勢が変更される第１の照明光源と、
上記表示画面が縦位置にあるときのこの表示画面の上面若しくは下面に沿って横に延びこの表示画面が縦位置にあるときに照明光を出射して上記導光体に入射させる、この表示画面と一体に姿勢が変更される第２の照明光源と、
上記表示画面が横位置にあるときに上記第１の照明光源を点灯すると共に上記第２の照明光源を消灯し、上記表示画面が縦位置にあるときに上記第２の照明光源を点灯すると共に上記第１の照明光源を消灯する点灯制御部とを備えたことを特徴とするものであってもよい。
【００３０】
本発明の表示ユニットでは、表示画面が横位置および縦位置のいずれにあっても、表示画面の上面若しくは下面に沿って横に延びた照明光源が点灯され、上下に延びることとなった照明光源は消灯されるようになっている。このため、本発明の表示ユニットによれば、蛍光管の寿命を早まらせる原因である、上下に延びた状態での照明光源の使用を回避することができることから、ピボット機能を有していても、バックライト光源の長寿命化を図ることができる。
【００３１】
ここで、上記第１の照明光源は、上記表示画面が横位置にあるときのこの表示画面の上面に沿う位置に配備され、
上記第２の照明光源は、上記表示画面が縦位置にあるときのこの表示画面の上面に沿う位置に配備されたものであることが好ましい。
【００３２】
このようにすると、照明光源の熱に晒されることによる表示画面の劣化を抑制することができる。
【００３３】
また、上記第１の照明光源および第２の照明光源は、いずれも冷陰極蛍光管であることも好ましい態様である。
【００３４】
このようにすると、装置の小型化に対応することができる。
【００３５】
また、上記第１の照明光源および上記第２の照明光源をそれぞれ駆動する別々のインバータ回路を備えることが好ましい。
【００３６】
このようにすると、照明光源をより安定して駆動させることができる。
【発明の効果】
【００３７】
本発明によれば、ピボット機能を有しながら、照明光源の長寿命化が図られた表示ユニット、表示装置、および情報処理装置を提供することができる。
【図面の簡単な説明】
【図１】  上述の液晶表示画面を有するディスプレイ装置を示す図である。
【図２】  図１に示す液晶パネルの概略構成図である。
【図３】  本発明の第１実施形態の概略構成図の一部である。
【図４】  液晶ディスプレイの電源スイッチがオンされることで図３に示す制御部において起動されるルーチンのフローチャートである。
【図５】  液晶パネルの構成要素である導光板の概略構成図である。
【図６】  第２の本実施形態のディスプレイ装置の液晶パネルの概略構成図である。
【００３９】
以下、図面を参照しながら本発明の実施形態を説明する。
【００４０】
図３は、本発明の表示ユニット、表示装置、および情報処理装置の共通の第１実施形態の概略構成図の一部である。
【００４１】
図３には、本実施形態である液晶ディスプレイの構成要素である液晶パネル１ａの概略構成が示されている。
【００４２】
この液晶パネル１ａは、液晶表示画面１１ａ、液晶表示画面１１ａの上面に配備された第１冷陰極蛍光管２１ａ、液晶表示画面１１ａの側面に配備された第２冷陰極蛍光管２２ａ、第１冷陰極蛍光管２１ａを駆動する第１インバータ２１１ａ、第２冷陰極蛍光管２２ａを駆動する第２インバータ２２１ａ、液晶表示画面１１ａが横位置と縦位置のうちのいずれにあるかを検知するセンサ４１ａ、液晶表示画面１１ａの裏面に配備され、第１冷陰極蛍光管２１ａあるいは第２冷陰極蛍光管２２ａからの光を導いてこの液晶表示画面１１ａを裏面から照明する導光板１２ａ（図５参照）、および、センサ４１ａからの信号に応じて、第１冷陰極蛍光管２１ａと第２冷陰極蛍光管２２ａの点灯と消灯を第１インバータ２１１ａと第２インバータ２２１ａを通じて制御する制御部３１ａで構成されている。本実施形態のディスプレイ装置は、ピボット機能を有する、ＴＦＴ（Ｔｈｉｎ  Ｆｉｌｍ  Ｔｒａｎｓｉｓｔｅｒ）タイプの液晶表示画面を備えたものであり、図３（ａ）には横位置の姿勢が示され、図３（ｂ）には縦位置の姿勢が示されている。
【００４３】
図３に示す、液晶表示画面１１ａと第１冷陰極蛍光管２１ａと第２冷陰極蛍光管２２ａは、図３に点線で示すようにユニット化されており、横位置と縦位置の間での姿勢変更の際には一体で回転するようになっている。
【００４４】
また、このディスプレイ装置では、液晶パネル１ａが横位置と縦位置のいずれの姿勢にあっても、液晶表示画面１１ａの上面に配備されている冷陰極蛍光管が点灯され、側面に配備されている陰極蛍光管は消灯されるように制御部３１ａによって制御されている。すなわち、図３（ａ）に示す横位置の場合には、第１冷陰極蛍光管２１ａが点灯されて第２冷陰極蛍光管２２ａは消灯され、図３（ｂ）に示す縦位置の場合には、今度は第２冷陰極蛍光管２２ａが点灯されて第１冷陰極蛍光管２１ａは消灯される。これにより、本実施形態のディスプレイ装置では、液晶パネル１ａが横位置と縦位置のいずれの状態にあっても、液晶表示画面１１ａのバックライトである２つの冷陰極蛍光管のうち横に延びた状態にある方の冷陰極蛍光管が点灯され、他方は消灯されることで、蛍光管の寿命を早まらせる原因である、上下に延びた状態での蛍光管の使用を回避することができる。したがって、本実施形態のディスプレイ装置によれば、冷陰極蛍光管の長寿命化に寄与することができる。
【００４５】
図４は、液晶ディスプレイの電源スイッチがオンされることで図３に示す制御部において起動されるルーチンのフローチャートである。
【００４６】
図４に示すステップＳ１では、図３に示すセンサ４１ａによる液晶パネル１ａの姿勢に変更があったか否かを判定し、ステップＳ１において、姿勢の変更がないと判定すると、ステップＳ１を繰り返し、ステップＳ１において、姿勢の変更があったと判定すると、ステップＳ２に進む。ステップＳ２において、姿勢の変更が横位置から縦位置への変更であると判定すると、ステップＳ３に進み、第１冷陰極蛍光管２１ａを消灯し、第２冷陰極蛍光管２２ａを点灯させ、その後、ステップＳ１に戻る。
【００４７】
一方、ステップＳ２において、姿勢の変更が横位置から縦位置への変更ではない、即ち、縦位置から横位置であると判定すると、ステップＳ４に進み第２冷陰極蛍光管２２ａを消灯し、第１冷陰極蛍光管２１ａを点灯させ、その後、ステップＳ１に戻る。
【００４８】
図５は、液晶パネルの構成要素である導光板の概略構成図である。
【００４９】
図５には、図３に示す液晶パネル１ａの構成要素である、前述の導光板１２ａを、液晶表示画面１１ａ（図３参照）側から見た様子が示されており、この導光板１２ａは、基板１２１ａと、その基板１２１ａ上に並べて取りつけられた凸型プリズム１２２ａとで構成されている。この導光板１２ａでは、凸型プリズム１２２ａが図５に示すように、市松模様状に配置されていることから、点灯させる冷陰極蛍光管の点灯を上述した様に切り替えても液晶表示画面１１ａを同等に裏面から照明できるようになっている。
【００５０】
次に、本発明の表示ユニット、表示装置、および情報処理装置の共通の第２実施形態について説明する。
【００５１】
図６は、本実施形態のディスプレイ装置の液晶パネルの概略構成図である。尚、図６に示す部材で図３に示す部材と同じ種類の部材には、図３に付した符号と同じ符号を付している。
【００５２】
図６に示す、本実施形態のディスプレイ装置の液晶パネル１ｂと、図３に示す、第１実施形態の液晶パネル１ａとの相違点は、第１実施形態では第１冷陰極蛍光管２１ａおよび第２冷陰極蛍光管２２ａがそれぞれ１本ずつ備えられているのに対し、本実施形態では、第１冷陰極蛍光管２１ｂおよび第２冷陰極蛍光管２２ａがそれぞれ２本ずつ液晶表示画面１１ａを挟んで備えられている点である。本実施形態のディスプレイ装置では、液晶表示画面１１ａの上面に加え下面においても、横に延びる方の冷陰極蛍光管が点灯され、上下に延びることとなる蛍光管は消灯されるようになっている。したがって、本実施形態のディスプレイ装置によれば、冷陰極蛍光管の長寿命化に寄与することができる。
【００５３】
尚、以上に説明した実施形態では、液晶表示画面１１ａの照明光源として冷陰極蛍光管を例に挙げて説明したが、本発明の照明光源はこれに限るものではなく、各部位間の温度差によって寿命に悪影響が出る照明光源であれば、例えばＬＥＤであってもよい。
【００５４】
また、第１冷陰極蛍光管２１ａおよび第２冷陰極蛍光管２２ａそれぞれを別々のインバータ回路で駆動する例を挙げて説明したが、本発明の表示ユニットは、これを共通のインバータ回路で駆動するものであってもよく、また、駆動をインバータ式以外の、スタータ式、あるいはラピッドスタート式で駆動するものであってもよい。
【図１】
0004805264.tif 000002
【図２】
0004805264.tif 000003
【図３】
0004805264.tif 000004
【図４】
0004805264.tif 000005
【図５】
0004805264.tif 000006
【図６】
0004805264.tif 000007